(57)【特許請求の範囲】
【請求項１】
前身頃、股下部、後身頃の各部から形成され、
吸収体、前記吸収体の表面を被覆するように配置され、少なくとも一部が液透過性材料からなるトップシート、及び、前記吸収体の裏面を被覆するように配置され、液不透過性材料からなるバックシートを有するおむつ本体と、前記後身頃の左右の各側縁から延出するように付設され、前記前身頃と前記後身頃を固定可能な複数の止着テープと、を備え、
前記複数の止着テープは、前記後身頃の左右の各側縁部の、おむつ着用時における着用者の大腿骨大転子よりも腰側の領域、及び、大腿骨大転子よりも膝側の領域のそれぞれに少なくとも一対付設されるテープ型使い捨ておむつであって、
前記前身頃の左右の各側縁部と前記後身頃の左右の各側縁部との一部にサイドフラップ部を有し、
前記前身頃のサイドフラップ部と前記後身頃のサイドフラップ部とは、おむつ着用時における着用者の大腿骨大転子よりも膝側を被覆する大腿周り被覆領域を有するとともに、前記複数の止着テープは、前記後身頃のサイドフラップ部に、当該止着テープが、おむつ着用時における着用者の大腿骨大転子を被覆しないように付設されており、
前記サイドフラップ部は、下記式（１）を満たすものであり、
前記後身頃の左右の各側縁部の、おむつ着用時における着用者の大腿骨大転子よりも腰側の領域に付設される止着テープである腰側止着テープは、下記式（２）を満たすように付設され、
前記後身頃の左右の各側縁部の、おむつ着用時における着用者の大腿骨大転子よりも膝側の領域に付設される止着テープである膝側止着テープは、下記式（３）を満たすように付設されているテープ型使い捨ておむつ。
０．３５＜（Ｂ／Ａ）＜０．６  ・・・  （１）
（但し、式（１）中、Ａは、テープ型使い捨ておむつの長手方向の全長であり、Ｂは、後身頃側の端縁から、後身頃と股下部との境界までの距離であり、股下部とは、テープ型使い捨ておむつの長手方向の中間に位置し、後身頃及び前身頃のいずれよりも幅狭の領域である。）
０．０５＜（Ｃ／Ａ）＜０．２５  ・・・  （２）
（但し、式（２）中、Ａは、テープ型使い捨ておむつの長手方向の全長であり、Ｃは、後身頃側の端縁から、腰側止着テープの付設領域のうち後身頃側の端縁から最も遠い位置までの距離である。）
０．２５＜（Ｄ／Ａ）＜０．５  ・・・・  （３）
（但し、式（３）中、Ａは、テープ型使い捨ておむつの長手方向の全長であり、Ｄは、後身頃側の端縁から、膝側止着テープの付設領域のうち上記後身頃側の端縁に最も近い位置までの距離である。）
【請求項２】
前記前身頃には、前記複数の止着テープを止着可能な被止着部材が付設されている請求項１に記載のテープ型使い捨ておむつ。
【請求項３】
前記被止着部材は、複数のものから構成されており、前記前身頃のサイドフラップ部の前記大腿周り被覆領域に付設される第一の被止着部材と、前記第一の被止着部材よりも前記前身頃の端縁側に付設される第二の被止着部材と、を有する請求項２に記載のテープ型使い捨ておむつ。
【請求項４】
前記後身頃のサイドフラップ部の前記大腿周り被覆領域には、おむつの幅方向に沿って伸縮部材が付設されている請求項１〜３のいずれか一項に記載のテープ型使い捨ておむつ。
【請求項５】
前記後身頃のサイドフラップ部の前記大腿周り被覆領域には、おむつの長手方向に沿って伸縮部材が付設されている請求項１〜４のいずれか一項に記載のテープ型使い捨ておむつ。
【請求項６】
前記吸収体の左右の各側縁部には、前記吸収体の長手方向の中間部に、前記吸収体の長手方向に沿って細長状の溝部が形成されている請求項１〜５のいずれか一項に記載のテープ型使い捨ておむつ。
【請求項７】
前記吸収体は、その長手方向の中間部が、前記中間部以外の部分に比べて幅広である請求項１〜６のいずれか一項に記載のテープ型使い捨ておむつ。
【請求項８】
前記吸収体の左右の各側縁部には、切欠部が２つ以上形成されている請求項１〜７のいずれか一項に記載のテープ型使い捨ておむつ。
【発明の詳細な説明】
【技術分野】
【０００１】
本発明は、テープ型使い捨ておむつに関し、更に詳しくは、股下部分からの漏れが生じ難く、着用感が良好であるテープ型使い捨ておむつに関する。
【背景技術】
【０００２】
従来、高齢者・障害者用のおむつとして、例えば、図１０に示すテープ型使い捨ておむつ１００のような、前身頃２、股下部４、後身頃６の各部から構成され、吸収体２２ａと、この吸収体２２ａの表面を被覆するように配置され、少なくとも一部が液透過性材料からなるトップシート１８と、吸収体２２ａの裏面を被覆するように配置され、液不透過性材料からなるバックシート２０と、後身頃６側に配置された、前身頃２と後身頃６とを固定する止着テープ１１０ａと、備えたテープ型使い捨ておむつが広く使用されている（例えば、特許文献１参照）。
【０００３】
このようなテープ型使い捨ておむつ１００によれば、着用者の排泄物はトップシート１８の液透過性の部分を透過して吸収体２２ａに吸収され、液不透過性の材料で構成されるバックシート２０によって外部への漏洩が防止される。このようにして排泄物をおむつ内部に保持することができる。
【０００４】
また、図１１は、テープ型使い捨ておむつ１００の着用状態を模式的に示しており、図１１に示すように、それぞれの止着テープ１１０ａを、着用者２００の脇を経由して、おむつの前身頃２（図１０参照）に配設された被止着部材１１に止め付けることによって、テープ型使い捨ておむつ１００を容易に着用することができる。
【０００５】
ここで、一般的に、大人用のテープ型使い捨ておむつは、図１０に示すテープ型使い捨ておむつ１００のように、サイドフラップ部分が広いので両方の側縁にそれぞれ２つずつ止着テープを付設することが多い。そして、座位、立位、仰臥位等の様々な状態を考慮して、即ち、脚周りの動き易さを考慮して、股下部から祖頚部に沿って開口部が形成され、脚の付け根の部分（大腿骨大転子に相当する部分（体表面））が露出するようになっている。なお、図１１中、符号５０は、着用者の大腿骨大転子の位置を示している。
【先行技術文献】
【特許文献】
【０００６】
【特許文献１】特開２００９−５６００１号公報
【発明の概要】
【発明が解決しようとする課題】
【０００７】
しかしながら、特許文献１に記載されたテープ型使い捨ておむつは、脚周りの自由度が高く、様々な姿勢をとり易くなっているが、座位、仰臥位、立位、歩行等の動きに伴って脚の付け根を曲げ伸ばしすることによって、脚周りのライン（脚周り開口部）がずれ上がり、おむつが食い込む状態（いわゆるハイレグ状態）になることがあった。特に車椅子等に座ることによって長時間座位の姿勢をとっていると、腰が曲がり筋力の弱まった高齢者においては、徐々に座位が浅くなってくることが多くみられる。このとき、おむつが着用者の股下に食い込んだ状態になることがあった。そのため、おむつと体との間（特に股下部）に隙間ができてしまい、この隙間から排泄物が漏れてしまうことがあった。また、止着テープの付設位置によって、止着テープの下側（膝側）の縁が大腿に当ったり、この縁が大腿と擦れたりすることに起因して痛みを感じるため、着用感が悪く、非常に不快になることがあった。
【０００８】
本発明は、このような従来技術の有する問題点に鑑みてなされたものであり、おむつが食い込む状態になり難いため、排泄物の漏れが生じ難く、また、着用感が良好であるテープ型使い捨ておむつを提供するものである。
【課題を解決するための手段】
【０００９】
本発明によれば、以下に示すテープ型使い捨ておむつが提供される。
【００１０】
［１］前身頃、股下部、後身頃の各部から形成され、吸収体、前記吸収体の表面を被覆するように配置され、少なくとも一部が液透過性材料からなるトップシート、及び、前記吸収体の裏面を被覆するように配置され、液不透過性材料からなるバックシートを有するおむつ本体と、前記後身頃の左右の各側縁から延出するように付設され、前記前身頃と前記後身頃を固定可能な複数の止着テープと、を備え、前記複数の止着テープは、前記後身頃の左右の各側縁部の、おむつ着用時における着用者の大腿骨大転子よりも腰側の領域、及び、大腿骨大転子よりも膝側の領域のそれぞれに少なくとも一対付設されるテープ型使い捨ておむつであって、前記前身頃の左右の各側縁部と前記後身頃の左右の各側縁部との一部にサイドフラップ部を有し、前記前身頃のサイドフラップ部と前記後身頃のサイドフラップ部とは、おむつ着用時における着用者の大腿骨大転子よりも膝側を被覆する大腿周り被覆領域を有するとともに、前記複数の止着テープは、前記後身頃のサイドフラップ部に、当該止着テープが、おむつ着用時における着用者の大腿骨大転子を被覆しないように付設されており、前記サイドフラップ部は、下記式（１）を満たすものであり、前記後身頃の左右の各側縁部の、おむつ着用時における着用者の大腿骨大転子よりも腰側の領域に付設される止着テープである腰側止着テープは、下記式（２）を満たすように付設され、前記後身頃の左右の各側縁部の、おむつ着用時における着用者の大腿骨大転子よりも膝側の領域に付設される止着テープである膝側止着テープは、下記式（３）を満たすように付設されているテープ型使い捨ておむつ。
０．３５＜（Ｂ／Ａ）＜０．６  ・・・  （１）
（但し、式（１）中、Ａは、テープ型使い捨ておむつの長手方向の全長であり、Ｂは、後身頃側の端縁から、後身頃と股下部との境界までの距離であり、股下部とは、テープ型使い捨ておむつの長手方向の中間に位置し、後身頃及び前身頃のいずれよりも幅狭の領域である。）
０．０５＜（Ｃ／Ａ）＜０．２５  ・・・  （２）
（但し、式（２）中、Ａは、テープ型使い捨ておむつの長手方向の全長であり、Ｃは、後身頃側の端縁から、腰側止着テープの付設領域のうち後身頃側の端縁から最も遠い位置までの距離である。）
０．２５＜（Ｄ／Ａ）＜０．５  ・・・・  （３）
（但し、式（３）中、Ａは、テープ型使い捨ておむつの長手方向の全長であり、Ｄは、後身頃側の端縁から、膝側止着テープの付設領域のうち上記後身頃側の端縁に最も近い位置までの距離である。）
【００１３】
［２］前記前身頃には、前記複数の止着テープを止着可能な被止着部材が付設されている前記［１］に記載のテープ型使い捨ておむつ。
【００１４】
［３］前記被止着部材は、複数のものから構成されており、前記前身頃のサイドフラップ部の前記大腿周り被覆領域に付設される第一の被止着部材と、前記第一の被止着部材よりも前記前身頃の端縁側に付設される第二の被止着部材と、を有する前記［２］に記載のテープ型使い捨ておむつ。
【００１５】
［４］前記後身頃のサイドフラップ部の前記大腿周り被覆領域には、おむつの幅方向に沿って伸縮部材が付設されている前記［１］〜［３］のいずれかに記載のテープ型使い捨ておむつ。
【００１６】
［５］前記後身頃のサイドフラップ部の前記大腿周り被覆領域には、おむつの長手方向に沿って伸縮部材が付設されている前記［１］〜［４］のいずれかに記載のテープ型使い捨ておむつ。
【００１８】
［６］前記吸収体の左右の各側縁部には、前記吸収体の長手方向の中間部に、前記吸収体の長手方向に沿って細長状の溝部が形成されている前記［１］〜［５］のいずれかに記載のテープ型使い捨ておむつ。
【００１９】
［７］前記吸収体は、その長手方向の中間部が、前記中間部以外の部分に比べて幅広である前記［１］〜［６］のいずれかに記載のテープ型使い捨ておむつ。
【００２０】
［８］前記吸収体の左右の各側縁部には、切欠部が２つ以上形成されている前記［１］〜［７］のいずれかに記載のテープ型使い捨ておむつ。
【発明の効果】
【００２１】
本発明のテープ型使い捨ておむつは、おむつが食い込み難くなるため、排泄物の漏れが生じ難く、また、着用感が良好であるという効果を奏するものである。
【図面の簡単な説明】
【００２２】
【図１】本発明のテープ型使い捨ておむつの一の実施形態を示す一部切り欠き平面図であり、テープ型使い捨ておむつをトップシート側から見た状態を模式的に示す図である。
【図２】図１に示すテープ型使い捨ておむつの着用状態を模式的に示す正面図である。
【図３】図２に示す着用者の骨盤を模式的に示す平面図である。
【図４】テープ型使い捨ておむつの別の実施形態を示す一部切り欠き平面図であり、テープ型使い捨ておむつをトップシート側から見た状態を模式的に示す図である。
【図５】本発明のテープ型使い捨ておむつの別の実施形態に備える吸収体を模式的に示す平面図である。
【図６】本発明のテープ型使い捨ておむつの別の実施形態に備える吸収体を模式的に示す平面図である。
【図７】本発明のテープ型使い捨ておむつの別の実施形態に備える吸収体を模式的に示す平面図である。
【図８】本発明のテープ型使い捨ておむつの別の実施形態に備える吸収体を模式的に示す平面図である。
【図９Ａ】図４に示すテープ型使い捨ておむつの製造工程を説明する平面図である。
【図９Ｂ】図４に示すテープ型使い捨ておむつの製造工程を説明する平面図である。
【図１０】従来のテープ型使い捨ておむつを示す一部切り欠き平面図であり、テープ型使い捨ておむつをトップシート側から見た状態を模式的に示す図である。
【図１１】図１０に示すテープ型使い捨ておむつの着用状態を模式的に示す正面図である。
【図１２】従来のテープ型使い捨ておむつの着用状態を模式的に示す正面図である。
【発明を実施するための形態】
【００２３】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２４】
なお、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２５】
［１］テープ型使い捨ておむつ：
本発明のテープ型使い捨ておむつの一実施形態は、図１に示すテープ型使い捨ておむつ１ａのように、前身頃２、股下部４、後身頃６の各部から形成され、吸収体２２ａ、この吸収体２２ａの表面を被覆するように配置され、少なくとも一部が液透過性材料からなるトップシート１８、及び、吸収体２２ａの裏面を被覆するように配置され、液不透過性材料からなるバックシート２０を有するおむつ本体３０と、後身頃６の左右の各側縁から延出するように付設され、前身頃２と後身頃６を固定可能な複数の止着テープ１０（１０ａ，１０ｂ）と、を備えている。そして、複数の止着テープ１０（１０ａ，１０ｂ）は、図２に示すように、後身頃６の左右の各側縁部の、おむつ着用時における着用者２００の大腿骨大転子５０（図３参照）よりも腰側の領域（第一の領域２４）、及び、大腿骨大転子５０よりも膝側の領域（第二の領域２５）のそれぞれに少なくとも一対付設されるものである。このような構成であると、第二の領域２５に付設された止着テープ１０ａが、脚の付根（大腿骨大転子５０）よりも膝側に位置することとなり、おむつのずり上がりが防止されるため、おむつが食い込む状態（いわゆるハイレグ状態）になり難くなる。そのため、排泄物の漏れが生じ難いという利点がある。また、止着テープ１０を上記のように付設しているため、着用者が脚を曲げた際でも、止着テープ１０（特に止着テープ１０ａ）の縁が着用者の大腿に当ったり、上記縁が大腿と擦れたりすることがないため、着用感が良好になる。
【００２６】
なお、図１は、本発明のテープ型使い捨ておむつの一の実施形態を示す一部切り欠き平面図であり、テープ型使い捨ておむつ１ａをトップシート１８側から見た状態を模式的に示している。図２は、図１に示すテープ型使い捨ておむつ１ａの着用状態を模式的に示す正面図である。図３は、図２に示す着用者２００の骨盤を模式的に示す正面図であり、符号５０は大腿骨大転子、符号５２は腸骨、符号５３は上前腸骨棘、符号５４は大腿骨を示している。図１〜１２において、同一の構成要素には同一の符号を付している。
【００２７】
本発明のテープ型使い捨ておむつは、前身頃の左右の各側縁部と後身頃の左右の各側縁部との一部にサイドフラップ部を有し、前身頃のサイドフラップ部と後身頃のサイドフラップ部とは、おむつ着用時における着用者の大腿骨大転子よりも膝側を被覆する大腿周り被覆領域を有するとともに、複数の止着テープが、後身頃のサイドフラップ部に付設されていることが好ましい。このような構成であると、サイドフラップ部によって、着用者の大腿の一部が覆われることとなり、太腿周りで止着することができるので、おむつが食い込む状態になることを効果的に防止することができ、また、大腿が、不織布などからなるサイドフラップ部によって覆われるため、着用感が更に良好になる。
【００２８】
図１に示すテープ型使い捨ておむつ１ａは、前身頃２の左右の各側縁部と後身頃６の左右の各側縁部との一部にサイドフラップ部５を有しており、前身頃２のサイドフラップ部５と後身頃６のサイドフラップ部５とは、おむつ着用時における着用者２００の大腿骨大転子５０よりも膝側を被覆する大腿周り被覆領域１５を有し、複数（合計４つ）の止着テープ１０が、後身頃６のサイドフラップ部５に付設されている例を示している。なお、なお、図１中、符号５０は、おむつ着用時における着用者の大腿骨大転子の位置を示している。
【００２９】
サイドフラップ部は、上述した条件を満たすものである限り特に制限はないが、後身頃のサイドフラップ部は、具体的には、下記式（１）を満たすものであることが好ましい。
式（１）：０．３５＜（Ｂ／Ａ）＜０．６
（但し、式（１）中、Ａは、テープ型使い捨ておむつの長手方向の全長（図１中、「Ａ」と示す）であり、Ｂは、後身頃側の端縁から、後身頃と股下部との境界までの距離（図１中、「Ｂ」と示す）である。なお、股下部とは、テープ型使い捨ておむつの長手方向の中間に位置し、後身頃及び前身頃のいずれよりも幅狭の領域である（図１参照）。）
【００３０】
股下部は、上述したように、テープ型使い捨ておむつの長手方向の中間に位置し、後身頃及び前身頃のいずれよりも幅狭の領域であるが、具体的には、下記式（４）を満たすものであることが好ましい。式（４）を満たすものであると、おむつを着用した際に、大腿が良好に被覆されるため、おむつが、いわゆるハイレグ状態になることを更に効果的に防止することができ、着用感が特に良好になる。
式（４）：０．２５＜（Ｅ／Ｆ）＜０．４（但し、式（４）中、Ｆは、テープ型使い捨ておむつの幅方向の全長（図１中、「Ｆ」と示す）であり、Ｅは、テープ型使い捨ておむつの幅方向の全長と股下部における最も幅狭の部分の長さとの差に相当する長さ（図１中、「Ｅ」と示す）である。）
【００３１】
前身頃には、複数の止着テープを止着可能な被止着部材が付設されていることが好ましい。このように被止着部材を付設すると、止着テープを、前身頃に対してより強固に止め付けることができるため、不用意に止着テープが外れてしまうことを防止することができ、排泄物の漏れを防止することができる。
【００３２】
更に、被止着部材は、複数のものから構成されており、前身頃のサイドフラップ部の大腿周り被覆領域に付設される第一の被止着部材と、第一の被止着部材よりも前身頃の端縁側に付設される第二の被止着部材と、を有するものであることが好ましい。このような構成によると、おむつの着用時に、着用者の膝側に付設されている止着テープを上記第二の被止着部材に止め付けることができるため、太腿周りを覆うように着用できる。そのため、脚周りに隙間が形成され難くなるので漏れが生じ難い。また、上記止着テープの一辺が着用者の大腿に食い込んだり、擦れたりして、痛みや不快感を覚えることを効果的に防止することができる。更に、脚の曲げ伸ばしが行い易くなるという利点がある。
【００３３】
被止着部材は、止着テープを止着可能なものであり、止着テープとの組み合わせによって適宜選択することができるが、例えば、後述するループ状の繊維が配置された凹部材などを用いることができる。
【００３４】
図１に示すテープ型使い捨ておむつ１ａは、その前身頃２に、メカニカルファスナーのループ材からなる複数の被止着部材１１が付設されており、この被止着部材１１は、前身頃２のサイドフラップ部５の大腿周り被覆領域１５に付設された第一の被止着部材１１ａと、第一の被止着部材１１ａよりも前身頃２の端縁７側に付設された第二の被止着部材１１ｂと、を有している例である。
【００３５】
［１−１］止着テープ：
止着テープは、後身頃の左右の各側縁から延出するように付設され、前身頃と後身頃を固定することができ、後身頃の左右の各側縁部の、おむつ着用時における着用者の大腿骨大転子よりも腰側の領域（腰側領域）、及び、大腿骨大転子よりも膝側の領域（膝側領域）のそれぞれに少なくとも一対付設されるものである。
【００３６】
このように止着テープを配置することによって、止着テープ（おむつ）が大腿の一部を包むようになるため、体に対するおむつの追随性が高くなり、排泄物の漏れ（特に、股下部から排泄物の漏れ）を有効に防ぐことができる。また、車椅子等に長時間座ることによって姿勢が浅くなった場合であっても、おむつがずれ上がり難い。そのため、おむつと着用者の体の間に隙間が生じ難いため、漏れを防止することができる。更に、従来のテープ型使い捨ておむつは、例えば、座ったり階段を登ったりして脚を曲げた際に、止着テープの一辺が着用者の大腿に食い込んだり、擦れたりして、痛みや不快感を覚えることがあったが、本発明のテープ型使い捨ておむつによれば、上記のように止着テープを付設しているため、上述した痛みや不快感を覚えることを防止することができる。
【００３７】
止着テープは、上述した領域に付設される限り特に制限はないが、腰側領域に付設される止着テープ（腰側止着テープ）は、下記式（２）を満たすように付設されることが好ましい。
式（２）：０．０５＜（Ｃ／Ａ）＜０．２５（但し、式（２）中、Ａは、テープ型使い捨ておむつの長手方向の全長（図１中、「Ａ」と示す）であり、Ｃは、後身頃側の端縁から、腰側止着テープの付設領域のうち上記後身頃側の端縁から最も遠い位置までの距離（図１中、「Ｃ」と示す）である。）
【００３８】
また、膝側領域に付設される止着テープ（膝側止着テープ）は、下記式（３）を満たすように付設されることが好ましい。
式（３）：０．２５＜（Ｄ／Ａ）＜０．５（但し、式（３）中、Ａは、テープ型使い捨ておむつの長手方向の全長（図１中、「Ａ」と示す）であり、Ｄは、後身頃側の端縁から、膝側止着テープの付設領域のうち上記後身頃側の端縁に最も近い位置までの距離（図１中、「Ｄ」と示す）である。）
【００３９】
また、止着テープは、おむつ着用時における着用者の大腿骨大転子を被覆しないように付設される。このような構成であると、着用者は、脚の曲げ伸ばしを容易に行うことができる。ここで、おむつを着用した状態で、脚を曲げ伸ばしする場合、着用者の体は、大腿骨大転子を中心として大きく動くため、動きの大きな領域に止着テープを付設すると、脚を曲げ伸ばしすることが困難になるおそれがある。特に、仰臥位で脚を伸ばした状態でおむつを着用した際に、止着テープが大腿骨大転子を被覆していると、脚の付け根が固定されてしまうことになり、脚の曲げ伸ばし（特に曲げること）が困難になり、座位や歩行が困難になる。更に、脚の曲げ伸ばしを無理に行うと、止着テープが外れて、漏れの原因になるおそれがある。
【００４０】
図１２は、従来のテープ型使い捨ておむつの着用状態を模式的に示しており、図１２に示すテープ型使い捨ておむつ１０１は、２山連結タイプの止着テープ１１０ｂを備えている。このようなテープ型使い捨ておむつ１０１は、止着テープ１１０ｂが、着用者２００の大腿骨大転子５０を被覆するように付設されることが多い。そのため、上述したような不具合が生じる場合があった。一方、本発明のテープ型使い捨ておむつによれば、上記構成とすることによって、止着テープにより脚の付け根が固定されてしまうことを防止することができるため、上記のような不具合が生じ難く、脚の曲げ伸ばしを容易に行うことができる。なお、図１及び図２中の符号１６は、おむつ着用時における着用者２００の大腿骨大転子５０に相当する体表面を被覆する領域を示しており、図１に示すテープ型使い捨ておむつ１ａは、止着テープ１０が上記領域１６には付設されていない例である。
【００４１】
止着テープの形状その他の構成について特に制限はない。例えば、図１に示すテープ型使い捨ておむつ１ａは、おむつの後身頃６の左右の各側縁６ａ，６ｂに、帯状の止着テープ１０ａ，１０ｂを２つずつ付設した例である。
【００４２】
止着テープは、おむつの前身頃に形成される被止着部材に止着可能なファスナー部が形成されている。即ち、被止着部材に固定され得るファスナーが付設されている。被止着部材に止着可能である限り、ファスナーの形態について特に制限はないが、通常は、（１）粘着剤の粘着力により固定を行う粘着ファスナーや、（２）凸部材（フック）と凹部材（ループ）の機械的結合により固定を行うメカニカルファスナー（面状ファスナーとも称される）等を好適に用いることができる。メカニカルファスナーは、例えば、表面に多数の突起（鉤状、きのこ状、錨状等）が形成された凸部材（フック）と、表面にループ状の繊維が配置された凹部材（ループ）とを組み合わせたもの等が用いられることが多い。このファスナーは、ループの表面にフックを重ね合わせ、フックの多数の突起をループの表面に係合させることにより、両部材を剥離可能な状態に、かつ、強固に固着させることができるものである。
【００４３】
例えば、図１に示すテープ型使い捨ておむつ１ａの止着テープ１０は、おむつの前身頃２に形成される被止着部材１１に止着可能なファスナー部１３としてメカニカルファスナーが形成されている例である。
【００４４】
［１−２］おむつ本体：
おむつ本体は、上述したように、吸収体、前記吸収体の表面を被覆するように配置され、少なくとも一部が液透過性材料からなるトップシート、及び、前記吸収体の裏面を被覆するように配置され、液不透過性材料からなるバックシートを有するものである。以下、各構成部材について説明する。
【００４５】
［１−２−１］吸収体：
吸収体は、着用者の尿を吸収し、保持するための部材である。吸収体は、着用者の尿や体液を吸収し保持する必要から、吸収性材料によって構成される。
【００４６】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れを防止するために、熱融着繊維等の合成繊維を含有させることも好ましい形態の一つである。
【００４７】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００４８】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は、トップシートとバックシートの間の少なくとも一部に介装される。より具体的には、吸収体は少なくとも股下部に介装され、この吸収体が前身頃や後見頃に亘って配置されていてもよい。
【００４９】
吸収体は、その全体が親水性シートによって包み込まれていることが好ましい。このような構成は、吸収体からＳＡＰが漏洩することを防止し、吸収体に形状安定性を付与することができるという利点がある。
【００５０】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示すテープ型使い捨ておむつ１ａは、吸収体２２ａとして、砂時計型の吸収体を用いた例である。
【００５１】
吸収体の左右の各側縁部には、吸収体の長手方向の中間部に、吸収体の長手方向に沿って細長状の溝部が形成されていることが好ましい。このように溝部を形成することによって、股下部において、大腿に沿って折れ曲がり易くなるため、フィット性が向上するという利点がある。
【００５２】
溝部は、吸収体の長手方向に沿って形成されている限りその形状には特に制限はないが、例えば、吸収体の長手方向に平行な直線状、円弧状や波形状などの曲線状などとすることができる。
【００５３】
例えば、図５は、その長手方向（図５に示すＸの方向）に沿って、一対の細長状の溝部２８ａが、円弧状に形成された吸収体２２ａを示す例である。図６は、その長手方向（図６に示すＸの方向）に沿って、一対の細長状の溝部２８ｂが、直線状に形成された吸収体２２ｂを示す例である。
【００５４】
溝部は、例えば、エンボス加工によって形成してもよいし、溝部となる部分のパルプの厚さを薄くすることによって形成してもよい。
【００５５】
また、吸収体は、その長手方向の中間部が、中間部以外の部分に比べて幅広であることが好ましい。このような構成であると、おむつ着用時に中間部が着用者の脚に沿って折れ曲がるため、おむつのフィット性が向上するという利点がある。例えば、図６は、その長手方向（図６に示すＸの方向）の中間部３２が、この中間部３２以外の部分に比べて幅広である吸収体２２ｂを示す例である。
【００５６】
吸収体の左右の各側縁部には、切欠部が２つ以上形成されていることが好ましい。このような構成であると、吸収体が着用者の脚に沿って折れ曲がり易くなるため、おむつのフィット性が向上するという利点がある。切欠部の形状は、特に制限はなく、円弧状、Ｕ字状などとすることができる。例えば、図７は、その左右の各側縁部に、円弧状の切欠部３４ａが２つ形成された吸収体２２ｃを示す例である。また、図８は、その左右の各側縁部に、Ｕ字状の切欠部３４ｂが２つ形成された吸収体２２ｄを示す例である。なお、図７に示す吸収体２２ｃは、その長手方向に沿って、一対の細長状の溝部２８ａが、円弧状に形成された例であり、図８に示す吸収体２２ｄは、その長手方向に沿って、一対の細長状の溝部２８ｂが、直線状に形成された例である。
【００５７】
なお、吸収体には、その上面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート下面側の空間が十分に形成されないような場合でも、尿や体液等の吸収速度が低下し難く、吸収速度の低下による尿や体液等の漏れを防止することが可能となる。
【００５８】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００５９】
［１−２−２］トップシート：
トップシートは、吸収体の裏面を被覆するように配置される少なくとも一部が液透過性材料からなるものであり、テープ型使い捨ておむつの使用時において着用者の肌側に位置するシートである。
【００６０】
トップシートは、そのバックシート側に配置された吸収体に、着用者の尿を吸収させるために、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【００６１】
トップシートを構成する液透過性材料としては、例えば、織布、不織布、多孔性フィルム等を挙げることができる。これらの中でも、ポリプロピレン、ポリエチレン、ポリエステル、ナイロン（登録商標）等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【００６２】
トップシートは、単一のシート材によって構成されていてもよいが、複数のシート材によって構成されていてもよい。例えば、複数の吸収体の上面側に配置されるトップシートと、おむつのサイドフラップの部分に配置されるトップシートとを異なるシートによって構成する形態もよく利用される。図１に示すテープ型使い捨ておむつ１ａは、おむつの中央部には液透過性材料からなるトップシート１８（センターシート１８ａ）を配置し、おむつのサイドフラップ部５の部分には液体の透過に対して抵抗性を示す通気撥水性材料からなるトップシート１８（サイドシート１８ｂ）を配置した例である。
【００６３】
［１−２−３］バックシート：
バックシートは、吸収体の裏面を被覆するように配置される液不透過性材料からなるものであり、テープ型使い捨ておむつの使用時において着用者の着衣側に位置するシートである。
【００６４】
バックシートは、着用者の尿がテープ型使い捨ておむつの外部に漏洩してしまうことを防止するため、液不透過性材料によって構成されている。その配置方法については特に制限はなく、例えば、トップシートと一致するように、バックシートを配置する構成を採用することができる。なお、吸収体で吸収された尿の漏れを防止するという観点から、少なくとも吸収体の存在する部分に液不透過性材料からなるバックシートを配置することが好ましい。
【００６５】
バックシートを構成する液不透過性材料としては、例えば、ポリエチレン等の樹脂からなる液不透過性フィルム等を挙げることができる。これらの中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、テープ型使い捨ておむつ内部の蒸れを防止することができるという利点がある。
【００６６】
なお、バックシートは、おむつの外形と一致するように構成されたものを用いることができる。また、バックシートの外表面側にシート材（カバーシート）を貼り合わせてもよい。このカバーシートは、バックシートを補強し、手触り（触感）を良好なものとするために用いられるものである。
【００６７】
カバーシートを構成する材料としては、例えば、織布、不織布等を挙げることができる。これらの中でも、ポリエチレン、ポリプロピレン、ポリエステル等の熱可塑性樹脂からなる乾式不織布、湿式不織布を用いることが好ましい。
【００６８】
なお、図１に示すテープ型使い捨ておむつ１ａにおいては、おむつの外形と一致する形状のバックシート２０を配置した例を示している。また、バックシートは少なくとも吸収体を覆う範囲で配置されていればよい。
【００６９】
［１−２−４］立体ギャザー：
おむつ本体（テープ型使い捨ておむつ）には、吸収体、トップシート、及び、バックシート以外に、着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００７０】
立体ギャザーの構成は、従来のテープ型使い捨ておむつに使用されている構成を採用することができる。例えば、撥水性のシート材の一部に伸縮材を配置（例えば、図１に示すように、立体ギャザー伸縮材３６（３６ａ，３６ｂ）を配置）し、その立体ギャザー伸縮材によってシート材にギャザー（襞）を形成したもの等を好適に用いることができる。
【００７１】
なお、立体ギャザーは、トップシートやバックシートとは全く別個のシート材により形成してもよいが、センターシートやサイドシート等のトップシートを折り返すことにより形成してもよい。
【００７２】
この立体ギャザーは、股下部からの漏れを防止するため、少なくとも股下部に形成されていればよいが、前身頃や後身頃に形成されていてもよい。例えば、図１に示すテープ型使い捨ておむつ１ａは、おむつの長手方向に沿って、股下部４から前身頃２と後身頃６の双方にかけて連続的に、一対の立体ギャザー２６（２６ａ，２６ｂ）が形成されている例を示している。なお、立体ギャザーは、少なくとも一対形成する必要があるが、二対以上形成してもよい。
【００７３】
立体ギャザーは、おむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。
【００７４】
［１−２−５］各種伸縮材：
おむつ本体（テープ型使い捨ておむつ）には、後身頃のサイドフラップ部の大腿周り被覆領域には、おむつの長手方向に沿って伸縮部材（第一大腿周り伸縮材）が付設されていることが好ましい。このように伸縮部材を配置することによって、テープ型使い捨ておむつが、脚の曲げ伸ばしに追随し易くなるので、おむつの裾部分が捲れ上がったりして、排泄物の漏れが発生することを防止することができる。なお、第一大腿周り伸縮材は、上述したような効果が得られるため、おむつの長手方向に沿って付設することが好ましいが、長手方向に沿って付設することに代えて、おむつの幅方向に沿って付設してもよい。おむつの幅方向に沿って付設した場合であっても、太腿周りを締め付けることが可能であるため、脚の曲げ伸ばしなどの動きに追随可能なテープ型使い捨ておむつを得ることができる。また、上記伸縮材は、おむつの長手方向に沿って付設することに加えて、幅方向に沿って付設してもよい。
【００７５】
図１に示すテープ型使い捨ておむつ１ａは、後身頃６のサイドフラップ部５の大腿周り被覆領域１５に、おむつの長手方向に沿って第一大腿周り伸縮材３８が付設されている例を示している。
【００７６】
また、おむつ本体には、上述した第一大腿周り伸縮材以外に、脚周り伸縮材及びウエスト周り伸縮材を更に配置することが好ましい。
【００７７】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿や体液がその凹部に溜まり、尿や体液をこぼすことなく、容易におむつの交換を行うことができる。
【００７８】
例えば、図１に示すテープ型使い捨ておむつ１ａは、おむつの長手方向に沿って、直線的に２本の脚周り伸縮材４０を配置してレグギャザーを形成した例である。この脚周り伸縮材４０は、糸ゴムによって構成されている。なお、脚周り伸縮材は、必ずしも直線的に配置する必要はなく、例えば、おむつの脚周り開口部のカーブに沿って曲線的に配置してもよい。
【００７９】
また、脚周り伸縮材は、例えば、図１に示すテープ型使い捨ておむつ１ａのように、立体ギャザー２６の起立線４６より外側の部分に、脚周り伸縮材４０が形成されていることが好ましい。このような構成とすると、立体ギャザーの十分な防漏効果を確保しつつ、股下部の装用感・装着感を向上させることができる。
【００８０】
なお、図１に示すテープ型使い捨ておむつ１ａは、脚周り伸縮材４０の形状、配置位置、配置数等を左右対称とした例を示したが、本発明のテープ型使い捨ておむつは、左右の脚周り伸縮材４０が非対称となるように配置してもよい。そして、図１に示すテープ型使い捨ておむつ１ａでは、脚周り伸縮材４０を片側につき２本配置した例を示しているが、片側につき一本だけ配置してもよいし、片側につき三本以上配置してもよい。また、複数の脚周り伸縮材を用いる場合、その太さや伸張率等も目的に応じて適宜設定することができる。
【００８１】
次に、ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる。また、着用者へのおむつのフィット性が良好となり、おむつのずり下がりを防止することができる。
【００８２】
図１に示すテープ型使い捨ておむつ１ａは、その後身頃６の端縁に沿って帯状のウエスト周り伸縮材４２を配置した例である。この帯状のウエスト周り伸縮材４２は、ウレタンフォーム等の伸縮性フォームによって構成することができる。なお、図１に示すテープ型使い捨ておむつ１ａは、後身頃（背側）のみにウエスト周り伸縮材４２を配置しているが、前身頃（腹側）にウエスト周り伸縮材を配置してもよい。
【００８３】
これらの伸縮材については、ギャザーの収縮の程度等を勘案した上で、構成材料、その材料の伸長率、固定時の伸長状態等を決定することができる。
【００８４】
上記伸縮材（第一大腿周り伸縮材、脚周り伸縮材、ウエスト周り伸縮材）としては、従来のテープ型使い捨ておむつに使用されている伸縮材を用いることができる。具体的には、天然ゴムや合成ゴム（ウレタンゴム等）の弾性材からなる糸ゴム、平ゴム、伸縮性ネット、伸縮性フィルム、伸縮性フォーム（ウレタンフォーム等）等を挙げることができる。
【００８５】
また、上記伸縮材は、十分な伸縮力を作用させるため、伸長状態で固定することが好ましい。例えば、伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、十分な伸縮力を作用させることが可能となる。
【００８６】
更に、上記伸縮材は、おむつの他の構成部材に対して、接着剤その他の手段により固定することができる。固定方法としては、例えば、ホットメルト接着剤、その他の流動性の高い接着剤を用いた接着方法や、ヒートシールをはじめとする熱や超音波等による溶着による方法などを挙げることができる。
【００８７】
［１−２−６］外装シート：
テープ型使い捨ておむつは、おむつ本体の一方の端部側の領域を被覆し、前身頃の左右の各側縁部を構成するサイドフラップ部を有する第一外装シートと、おむつ本体の他方の端部側の領域を被覆し、後身頃の左右の各側縁部を構成するサイドフラップ部を有する第二外装シートと、を更に備えるものであってもよい。そして、前身頃及び後身頃の各サイドフラップ部は、おむつ着用時における着用者の大腿骨大転子よりも膝側を被覆する大腿周り被覆領域を有するとともに、複数の止着テープが、後身頃のサイドフラップ部に付設され、かつ、後身頃のサイドフラップ部の大腿周り被覆領域には、おむつの幅方向に沿って伸縮部材（第二大腿周り伸縮材）が付設されていることができる。
【００８８】
上記外装シート（第一外装シートと第二外装シート）を用いると、おむつが、いわゆるハイレグ状態になり難いため、排泄物の漏れが生じ難く、着用感が良好であることに加え、高速連続生産性に優れるという利点がある。また、おむつの幅方向に沿って伸縮部材（第二大腿周り伸縮材）を付設することによって、脚の曲げ伸ばしなどの動きに効果的に追随可能なテープ型使い捨ておむつを得ることができるので、おむつの裾部分が捲れ上がったりして、排泄物の漏れが発生することを防止することができる。
【００８９】
第一外装シートと第二外装シートとしては、いずれもバックシートと同様のシートを材料として用いることができる。更に、第一外装シートと第二外装シートは、いずれもその外表面側にカバーシートを貼り合わせたものであってもよい。このカバーシートは、外装シート（第一外装シートと第二外装シート）の手触り（触感）を良好なものとするという利点がある。また、カバーシートは、既に上述したカバーシートと同様の材料により構成することができる。第二大腿周り伸縮材は、第一大腿周り伸縮材と同様のものを同様に用いることができる。
【００９０】
第二大腿周り伸縮材は、上述したような効果が得られるため、おむつの幅方向に沿って付設することが好ましいが、おむつの幅方向に沿って付設することに代えて、おむつの長手方向に沿って付設してもよいし、おむつの幅方向に沿って付設することに加えて、おむつの長手方向に沿って付設してもよい。おむつの長手方向に沿って付設した場合には、脚の曲げ伸ばしなどの動きに良好に追随可能なテープ型使い捨ておむつを得ることができる。
【００９１】
図４に示すテープ型使い捨ておむつ１ｂは、おむつ本体４７と、このおむつ本体４７の一方の端部８ａ側の領域を被覆し、前身頃２の左右の各側縁部を構成するサイドフラップ部５を有する第一外装シート４８と、おむつ本体４７の他方の端部８ｂ側の領域を被覆し、後身頃６の左右の各側縁部を構成するサイドフラップ部５を有する第二外装シート４９と、を備え、前身頃２及び後身頃６の各サイドフラップ部５は、おむつ着用時における着用者２００の大腿骨大転子５０（図３参照）よりも膝側を被覆する大腿周り被覆領域１５を有するとともに、複数（合計４つ）の止着テープ１０ａ，１０ｂが、後身頃６のサイドフラップ部５に付設され、かつ、後身頃６のサイドフラップ部５の大腿周り被覆領域１５には、おむつの幅方向（図４中のＹの方向）に沿って第二大腿周り伸縮材３９が付設されている例である。なお、図４中、符号５０は、おむつ着用時における着用者の大腿骨大転子の位置を示している。
【００９２】
更に、図４に示すテープ型使い捨ておむつ１ｂは、第一外装シート４８のサイドフラップ部５の大腿周り被覆領域１５に付設された第一の被止着部材１１ａと、第一の被止着部材１１ａよりも前身頃２の端縁７側に付設された第二の被止着部材１１ｂと、を有している。また、複数（合計４つ）の止着テープ１０ａ，１０ｂは、第二外装シート４９（後身頃６）のサイドフラップ部５の大腿周り被覆領域１５に、一対の止着テープ１０ａ，１０ａが付設され、サイドフラップ部５の、大腿周り被覆領域１５以外の領域に、一対の止着テープ１０ｂ，１０ｂが付設されている。なお、一対の止着テープ１０ａ，１０ａ及び一対の止着テープ１０ｂ，１０ｂには、それぞれ、ファスナー部１３が付設されている。そして、止着テープ１０ａ，１０ｂは、おむつ着用時における着用者２００の大腿骨大転子５０（別言すれば、大腿骨大転子５０に相当する体表面）を被覆する領域１６には付設されていないものである。
【００９３】
［２］テープ型使い捨ておむつの製造方法：
本発明のテープ型使い捨ておむつの製造方法を、図１に示すテープ型使い捨ておむつ１ａを製造する場合の例で説明する。
【００９４】
まず、バックシート２０の材料となる長尺のシート材（バックシート材）の上面に、親水性シートに包まれた吸収体２２及び脚周り伸縮材４０を載置する。一方、トップシート１８の材料となる長尺のシート材（トップシート材）に、予め止着テープ１０を、おむつ着用時における着用者の大腿骨大転子よりも腰側の領域、及び、大腿骨大転子よりも膝側の領域のそれぞれに少なくとも一対配置されるように付設しておく。
【００９５】
次に、バックシート材と吸収体２２の積層体の上面に、上記トップシート材を載置することにより、おむつの中間体となる積層体を得る。この際、トップシート材は、センターシート１８ａに相当するトップシート材と、サイドシート１８ｂに相当するトップシート材の２種類が使用される。サイドシート１８ｂに相当するシート材には折り返し部分を設けることによって、立体ギャザー２６が形成されている。
【００９６】
その後、得られた積層体は、おむつの脚周り開口部に相当する部分を円弧状に切り抜いて切除し（Ｒカット）、脚周り開口部を形成することにより、テープ型使い捨ておむつ１ａを製造することができる。
【００９７】
なお、上記のような一連の工程は、機械的な手段によって連続的に行うことが可能である。例えば、長尺のシート材をローラーから連続的に送出する等の方法・装置を採用することにより、テープ型使い捨ておむつの連続製造が可能となり、生産性の向上に資する。
【００９８】
［３］テープ型使い捨ておむつの製造方法：
次に、図４に示すテープ型使い捨ておむつ１ｂを製造する場合について説明する。
【００９９】
まず、バックシート２０の材料となる長尺のシート材（バックシート材）の上面に、親水性シートに包まれた吸収体２２ａを載置する。その後、更に、トップシート１８の材料となる長尺のシート材（トップシート材）を載置して、バックシート材とトップシート材とを互いに固定することによって、図９Ａに示す吸収性本体中間体６２を得る。得られた吸収性本体中間体６２を所定の位置で切断して、吸収性本体４７を得る。その後、得られた吸収性本体４７を、図９Ａに示すように、その搬送方向に対して９０°回転させる。なお、図示していないが、吸収性本体中間体６２には、予め作製した立体ギャザーを付設する。
【０１００】
次に、図９Ｂに示すように、予め被止着部材１１（第一の被止着部材１１ａ，第二の被止着部材１１ｂ）が所定の位置に付設された長尺第一外装シート６４と、予め止着テープ１０が所定の位置に付設された長尺第二外装シート６６とを並行して供給しておき、これらの長尺第一外装シート６４と長尺第二外装シート６６とに跨るように、９０°回転させた吸収性本体４７を載置して、おむつ連続体６８を得る。なお、長尺第一外装シート６４と長尺第二外装シート６６には、吸収性本体４７を載置する位置に予め接着剤などを塗布しておく。その後、得られたおむつ連続体６８を、所定の位置で切断してテープ型使い捨ておむつ１ｂを製造することができる。このような製造方法であると、高速連続生産が可能である。
【産業上の利用可能性】
【０１０１】
本発明のテープ型使い捨ておむつは、介護を必要とする高齢者や障害者等の成人用のおむつとして好適に使用することができる。
【符号の説明】
【０１０２】
１ａ，１ｂ，１００，１０１：テープ型使い捨ておむつ、２：前身頃、４：股下部、５：サイドフラップ部、６：後身頃、６ａ，６ｂ：側縁、７：前身頃の端縁、８ａ：一方の端部、８ｂ：他方の端部、１０，１０ａ，１０ｂ，１１０ａ，１１０ｂ：止着テープ、１１：被止着部材、１１ａ：第一の被止着部材、１１ｂ：第二の被止着部材、１３：ファスナー部、１５：大腿周り被覆領域、１６：大腿骨大転子に相当する体表面を被覆する領域、１８：トップシート、１８ａ：センターシート、１８ｂ：サイドシート、２０：バックシート、２２ａ，２２ｂ：吸収体、２４：第一の領域、２５：第二の領域、２６，２６ａ，２６ｂ：立体ギャザー、２８ａ，２８ｂ：溝部、３２：中間部、３４ａ，３４ｂ：切欠部、３６，３６ａ，３６ｂ：立体ギャザー伸縮材、３８：第一大腿周り伸縮材、３９：第二大腿周り伸縮材、４０：脚周り伸縮材、４２：ウエスト周り伸縮材、４６：起立線、４７：吸収性本体、４８：第一外装シート、４９：第二外装シート、５０：大腿骨大転子、５２：腸骨、５３：上前腸骨棘、５４：大腿骨、６２：吸収性本体中間体、６４：長尺第一外装シート、６６：長尺第二外装シート、６８：おむつ連続体、２００：着用者、Ｘ：長手方向、Ｙ：幅方向。
【図１】
0005564852.tif 000002
【図２】
0005564852.tif 000003
【図３】
0005564852.tif 000004
【図４】
0005564852.tif 000005
【図５】
0005564852.tif 000006
【図６】
0005564852.tif 000007
【図７】
0005564852.tif 000008
【図８】
0005564852.tif 000009
【図９Ａ】
0005564852.tif 000010
【図９Ｂ】
0005564852.tif 000011
【図１０】
0005564852.tif 000012
【図１１】
0005564852.tif 000013
【図１２】
0005564852.tif 000014